(57)【要約】【課題】作業性を損なうことなく折り取り後の外観品質を向上する。【解決手段】基端側４０Ａの縁部に設けられた取付部を介して支持される板状の見付け基板部４１ｃを備え、見付け基板部４１ｃには仮想の切断面ＣＰに沿って延在し、かつ見付け基板部４１ｃの表面に開口する折り取り用の溝４１ｄが設けられている額縁４０であって、折り取り溝４１ｄは、最深部ａが仮想の切断面ＣＰ上に位置し、かつ基端側４０Ａに対して先端側４０Ｂが大きくなるように見付け基板部４１ｃの表面に開口している。【選択図】図４
2020128652.tif 000002
【特許請求の範囲】
【請求項１】
基端側の縁部に設けられた取付部を介して支持される板状の基板部を備え、前記基板部には仮想の切断面に沿って延在し、かつ前記基板部の表面に開口する折り取り用の溝が設けられている額縁であって、
前記溝は、最深部が前記仮想の切断面上に位置し、かつ前記基端側に対して先端側が大きくなるように前記基板部の表面に開口していることを特徴とする額縁。
【請求項２】
前記溝の底部は、前記仮想の切断面に対して左右対称に形成されていることを特徴とする請求項１に記載の額縁。
【請求項３】
前記溝の底部及び前記溝の開口縁部がそれぞれ曲面によって形成されていることを特徴とする請求項１に記載の額縁。
【請求項４】
前記溝において基端側の開口縁部に設けられた曲面は、前記溝の底部に設けられた曲面よりも曲率半径が小さく構成されていることを特徴とする請求項３に記載の額縁。
【発明の詳細な説明】
【技術分野】
【０００１】
本発明は、建具に設けられる額縁に関するものである。
【背景技術】
【０００２】
建造物に建具を取り付けた枠には、室外側の外周部分や室内側の内周部分に額縁を設ける場合がある。通常、この種の額縁には、折り取り溝と称される折り取り用の溝が長手に沿って複数設けられている。折り取り溝は、額縁の延在長さを変更する際の切断ガイドとなるものである。折り取り溝が設けられた額縁によれば、例えば、ペンチ等の工具を用いて額縁を折り取り溝に沿って折り曲げることにより、建具の施工現場においても額縁を切断することができ、覆い隠す部分の大きさに応じて額縁の長さを調整することが可能となる（例えば、特許文献１参照）。
【先行技術文献】
【特許文献】
【０００３】
【特許文献１】特開２０１６−３３２８２号公報
【発明の概要】
【発明が解決しようとする課題】
【０００４】
ところで、建具に適用される額縁としては、アルミニウム合金等の金属や樹脂によって成形されたものが多く用いられている。これらの金属や樹脂は、比較的弾性に富んだ材質である。従って、額縁を折り取り溝に沿って折り曲げると、額縁として残すべき基端側の縁部にも変形が及ぶおそれがあり、外観品質を考慮した場合、必ずしも好ましいとはいえない。こうした問題は、額縁の板厚を増大させることで改善できる可能性がある。しかしながら、額縁としては押し出し形材から成るものを適用するのが一般的であり、成形性を考慮すると、折り取り溝の深さを大きくとることが困難である。この結果、板厚の増大した場合には、折り取りの際に大きな操作力が必要になる等、作業性に影響を及ぼすおそれがある。
【０００５】
本発明は、上記実情に鑑みて、作業性を損なうことなく折り取り後の外観品質を向上することのできる額縁を提供することを目的とする。
【課題を解決するための手段】
【０００６】
上記目的を達成するため、本発明に係る額縁は、基端側の縁部に設けられた取付部を介して支持される板状の基板部を備え、前記基板部には仮想の切断面に沿って延在し、かつ前記基板部の表面に開口する折り取り用の溝が設けられている額縁であって、前記溝は、最深部が前記仮想の切断面上に位置し、かつ前記基端側に対して先端側が大きくなるように前記基板部の表面に開口していることを特徴とする。
【発明の効果】
【０００７】
本発明によれば、仮想の切断面を基準として開口の位置が非対称となり、先端側の剛性が基端側に比べて小さくなる。これにより、折り取りの際に大きな操作力が必要とならず、しかも基端側に変形の影響が及ぶおそれもなくなる。
【図面の簡単な説明】
【０００８】
【図１】本発明の実施の形態である額縁を適用した建具の縦断面図である。
【図２】図１に示した建具の横断面図である。
【図３】図１及び図２に示した建具に適用される額縁を折り取り用の溝に沿って切断する際の操作例を概念的に示す図である。
【図４】図１及び図２に示した建具に適用される額縁の要部を拡大した端面図である。
【図５】図１及び図２に示した建具に適用される額縁を折り取り用の溝に沿って切断する際の要部を拡大したもので、（ａ）は額縁を工具で把持した状態の図、（ｂ）は額縁を切断した状態の図である。
【発明を実施するための形態】
【０００９】
以下、添付図面を参照しながら本発明に係る額縁の好適な実施の形態について詳細に説明する。
図１及び図２は、本発明の実施の形態である額縁を適用した建具を示したものである。ここで例示する建具は、ドアパネルを省略した状態の玄関用のドアであり、特に既存の枠体を残した状態で建造物の躯体に設置される改修用の玄関ドアを例示している。すなわち、この玄関ドアでは、躯体Ｂに取り付けられた状態の既存の上枠１ａ、下枠１ｂ及び左右の縦枠１ｃに対して個々の内周側に新たな上枠１０ａ、下枠１０ｂ及び左右の縦枠１０ｃを設置することにより枠体１０が構成してある。新たな上枠１０ａ、下枠１０ｂ及び左右の縦枠１０ｃは、それぞれアルミニウム合金等の金属によって成形した押し出し形材であり、それぞれ長手に沿った全長がほぼ一様な断面形状を有するように構成してある。なお、以下においては便宜上、躯体Ｂに残した既設の枠体の構成要素を説明する場合には既設上枠１ａ等、既設という用語を付与して説明し、新たに設置した枠体１０の構成要素を説明する場合には新設上枠１０ａ等、新設という用語を付与して両者を区別することとする。
【００１０】
上述した新設枠体のうち、新設上枠１０ａ及び左右の新設縦枠１０ｃは、見込み方向が長手となる矩形の断面形状となるように構成してある。ここで、見込み方向とは、図中の矢印Ａで示すように、建具の奥行きに沿った方向である。見込み方向に沿った面については見込み面と称する場合がある。また、本実施の形態では見付け方向という用語も用いる。見付け方向とは、上枠１ａ，１０ａ等のように水平方向に沿って延在するものの場合、見込み方向に直交した上下に沿う方向である。縦枠１ｃ，１０ｃ等のように上下方向に沿って延在するものの場合には、見込み方向に直交した水平に沿う方向を見付け方向という。見付け方向に沿った面については、見付け面と称する場合がある。
【００１１】
上述した新設上枠１０ａ及び左右の新設縦枠１０ｃには、それぞれ室内側となる部分に見付けカバー２０及び室内用額縁３０が設けてあるとともに、室外側となる部分に室外用額縁４０が設けてある。見付けカバー２０は、木材や木質材によって成形したものである。室内用額縁３０及び室外用額縁４０は、アルミニウム合金等の金属によって成形した押し出し形材であり、それぞれ長手に沿った全長がほぼ一様な断面形状を有するように構成してある。以下、これら見付けカバー２０、室内用額縁３０及び室外用額縁４０の構成について詳述し、併せて本願発明の特徴部分について説明する。なお、以下の説明においては便宜上、建造物に取り付けられた状態でそれぞれの姿勢を特定することとする。
【００１２】
見付けカバー２０は、新設上枠１０ａ及び新設縦枠１０ｃよりも室内側となる部分において露出する既設上枠１ａ及び既設縦枠１ｃに対して見込み方向に沿って並設され、既設上枠１ａ及び既設縦枠１ｃの室内に臨む見付け面を覆い隠すものである。図示の例では、厚板状を成す見付けカバー２０を適用するようにしている。
【００１３】
室内用額縁３０は、既設上枠１ａ及び既設縦枠１ｃの内周側に設けられ、既設上枠１ａ及び既設縦枠１ｃの見付け面を覆い隠すものである。図示の例では、室内側に位置する端縁部に設けたカバー取付部（取付部）３１と、カバー取付部３１から室外側に向けて見込み方向に延在する薄板状のカバー基板部（基板部）３２とを有した室内用額縁３０を適用している。カバー取付部３１には、カバー基板部３２に対して直交するように延在した一対の取付基板部（基板部）３１ａが設けてある。この室内用額縁３０は、カバー取付部３１から見付けカバー２０を介して躯体Ｂと内装材Ｃとの間の胴縁Ｄにネジ３３を螺合することによって取り付けてある。カバー取付部３１には、ネジ３３の頭部をカバーするキャップ３４が装着してある。室内用額縁３０のカバー基板部３２は、延在端縁部が新設上枠１０ａ及び新設縦枠１０ｃの室内に臨む見付け面に当接した状態にある。カバー取付部３１における取付基板部３１ａの内周側への突出長さ及びカバー基板部３２の見込み方向に沿った延在長さは、それぞれに設けた折り取り溝３１ｂ，３２ａに沿って切断することにより適宜調整してある。
【００１４】
室外用額縁４０は、新設上枠１０ａ及び新設縦枠１０ｃの室外に臨む見付け面からそれぞれの外周部分を覆い隠すためのものである。本実施の形態では、新設上枠１０ａ及び新設縦枠１０ｃのそれぞれに対して、見付け側部材４１及び見込み側部材４２を備えた室外用額縁４０を設けるようにしている。
【００１５】
見付け側部材４１は、新設上枠１０ａ及び新設縦枠１０ｃの室外に臨む見付け面から既設額縁２を超えた建造物の外装材Ｆまでの間の表面を覆い隠すように配置されるものである。より具体的に説明すると、新設上枠１０ａに設けられる見付け側部材４１は、新設上枠１０ａの見付け面に取り付けられる枠取付部（取付部）４１ａと、枠取付部４１ａの外周側に位置する縁部から外周側に向けて延在した後、室外側に屈曲して見込み方向に延在する見込み板部４１ｂと、見込み板部４１ｂの延在端縁部から外周側に向けて延在する見付け基板部（基板部）４１ｃとを一体に成形したものである。新設縦枠１０ｃに設けられる見付け側部材４１は、新設縦枠１０ｃの見付け面に取り付けられる枠取付部４１ａと、枠取付部４１ａの外周側に位置する縁部から室外側に向けて見込み方向に延在する見込み板部４１ｂと、見込み板部４１ｂの延在端縁部から外周側に向けて延在する見付け基板部４１ｃとを一体に成形したものである。新設上枠１０ａに設けられる見付け側部材４１の見付け基板部４１ｃは、平板状に形成してある一方、新設縦枠１０ｃに設けられる見付け側部材４１の見付け基板部４１ｃは、見込み板部４１ｂの延在端縁部から外周側に向けて漸次室外側となるように湾曲凹状に延在した後、外周側に向けてわずかに湾曲突状となるように延在している。それぞれ見付け基板部４１ｃの内表面外周部分には、長手に沿って延在する折り取り溝４１ｄが複数設けてある。
【００１６】
見込み側部材４２は、見付け基板部４１ｃの外周側に配置される端縁部から建築物の外装材Ｆまでの間の隙間を覆い隠すように配置されるものである。本実施の形態では、新設上枠１０ａ及び新設縦枠１０ｃで共通となる平板状の見込み基板部（基板部）４２ａを有した見込み側部材４２を適用している。見込み基板部４２ａの内周面には、長手に沿って延在する折り取り溝４２ｂが複数設けてある。
【００１７】
図１及び図２に示すように、見付け側部材４１における見付け基板部４１ｃの外周側に位置する端縁部と見込み側部材４２における見込み基板部４２ａの室外側に位置する端縁部との間には、係合取付部（取付部）４３が設けてある。係合取付部４３は、見付け側部材４１と見込み側部材４２との間を着脱可能に連結するもので、第１の係合要素対４３Ａ及び第２の係合要素対４３Ｂを備えて構成してある。
【００１８】
第１の係合要素対４３Ａは、見込み基板部４２ａに設けた見込み側フック部４４と、見付け側部材４１に設けた見付け側フック部４５とによって構成してある。これら見込み側フック部４４及び見付け側フック部４５は、互いに係合させると、見込み側部材４２の室外側に位置する端縁部（見込み側フック部４４の先端縁部）を中心として見込み側部材４２が見付け側部材４１に対して回転可能となるように支持することができる。また、見付け側フック部４５及び見込み側フック部４４が係合すると、見付け側部材４１に対して見込み側部材４２の外周側への移動及び室外側への移動（見付け側部材４１に近接する方向への移動）が制限された状態となる。
【００１９】
第２の係合要素対４３Ｂは、第１の係合要素対４３Ａが相互に係合した状態で見込み側部材４２の室内側に位置する端縁部を内周側に向けて回転させた場合に互いに係合するものである。本実施の形態では、見込み基板部４２ａの内周側に位置する内表面から突出した係合片４７と、見付け基板部４１ｃの室内に臨む内表面から突出した係合受部４８とを有して第２の係合要素対４３Ｂが構成してある。
【００２０】
上記のように構成した室外用額縁４０は、枠取付部４１ａを介して新設上枠１０ａ及び新設縦枠１０ｃの室外に臨む見付け面にネジ５０を螺合することにより、見付け基板部４１ｃが外周側を覆うように見付け側部材４１が取り付けられる。ネジ５０を螺合した後においては、枠取付部４１ａにキャップ５１が装着される。
【００２１】
その後、係合取付部４３を介して見付け側部材４１における見付け基板部４１ｃの外周側端縁部に見込み側部材４２が連結される。すなわち、第１の係合要素対４３Ａを係合した状態で見込み側部材４２の室内側に位置する端縁部を内周側に向けて回転させると、見込み側部材４２に設けた係合片４７の先端縁部が係合受部４８に係合するとともに、係合受部４８の先端縁部が係合片４７の室外側に位置する面に当接した状態となる。これにより、見付け側部材４１に対して見込み側部材４２が連結された状態に維持され、見込み側部材４２によって見付け側部材４１と建築物の外装材Ｆまでの間の隙間が覆い隠されることになる。見込み側部材４２の延在長さは、予め折り取り溝４２ｂに沿って切断することにより適宜調整してある。
【００２２】
ここで、室内用額縁３０の取付基板部３１ａやカバー基板部３２を折り取り溝３１ｂ，３２ａに沿って切断する場合、並びに室外用額縁４０の見込み側部材４２を折り取り溝４２ｂに沿って切断する場合には、図３に例示するように、切断する折り取り溝３１ｂ，３２ａ，４２ｂよりも先端部側をペンチ等の工具Ｔによって把持し、そのまま折り取り溝３１ｂ，３２ａ，４２ｂが拡開するように額縁３０，４０に操作力を加えることになる。見付け側部材４１を折り取り溝４１ｄに沿って切断する場合も同様である。額縁３０，４０の板厚が小さい場合には、折り取り溝３１ｂ，３２ａ，４２ｂ，４１ｄに沿って切断した場合、額縁３０，４０の基端側３０Ａ，４０Ａにも変形が及ぶおそれがある。額縁３０，４０の基端側３０Ａ，４０Ａとは、建造物に額縁３０，４０として残る部分である。具体的には、室内用額縁３０の取付基板部３１ａ及びカバー基板部３２については折り取り溝３１ｂ，３２ａに対してカバー取付部３１が設けられている側であり、見込み側部材４２の見込み基板部４２ａについては折り取り溝４２ｂに対して係合取付部４３が設けられている側である。見付け側部材４１の見付け基板部４１ｃの基端側４０Ａとは、折り取り溝４１ｄに対して枠取付部４１ａが設けられている側である。従って、基端側３０Ａ，４０Ａの部分に変形が及ぶのは、外観品質を考慮した場合、必ずしも好ましいとはいえない。一方、額縁３０，４０の板厚を増大させた場合には、折り取りの際に大きな操作力が必要になる等、作業性に影響を及ぼすおそれがある。
【００２３】
そこで、実施の形態の額縁３０，４０では、図４に示すように、最深部ａが仮想の切断面ＣＰ上に位置し、かつ基板部３１ａ，３２，４２ａ，４１ｃの表面においては基端側３０Ａ，４０Ａに対して先端側３０Ｂ，４０Ｂが大きく開口するように折り取り溝３１ｂ，３２ａ，４２ｂ，４１ｄが形成してある。図からも明らかなように、折り取り溝３１ｂ，３２ａ，４２ｂ，４１ｄは、底部ｂが仮想の切断面ＣＰに対して左右対称となる曲面ｃによって形成してある。また基板部３１ａ，３２，４２ａ，４１ｃの表面における折り取り溝３１ｂ，３２ａ，４２ｂ，４１ｄの開口縁部には、曲面ｄ，ｅが設けられている。折り取り溝３１ｂ，３２ａ，４２ｂ，４１ｄの基端側３０Ａ，４０Ａに位置する開口縁部の曲面ｄは、曲率半径ｒ１が底部ｂを構成する曲面ｃの曲率半径ｒ３よりも小さくなるように構成してある。さらに図示の例では、折り取り溝３１ｂ，３２ａ，４２ｂ，４１ｄの先端側３０Ｂ，４０Ｂに位置する開口縁部の曲面ｅは、曲率半径ｒ２が底部ｂを構成する曲面ｃの曲率半径ｒ３よりも大きくなるように構成してある。
【００２４】
上記のような断面形状を有する折り取り溝３１ｂ，３２ａ，４２ｂ，４１ｄを有した額縁３０，４０においては、仮想の切断面ＣＰを基準として折り取り溝３１ｂ，３２ａ，４２ｂ，４１ｄが非対称となるように開口しているため、先端側３０Ｂ，４０Ｂの剛性が基端側３０Ａ，４０Ａに比べて小さくなる。これにより、図５に示すように、折り取りの際に大きな操作力が必要とならず、しかも基端側３０Ａ，４０Ａに変形の影響が及ぶおそれがなく、所望の切断面で額縁３０，４０を切断することが可能となる。特に、実施の形態の額縁３０，４０では、折り取り溝３１ｂ，３２ａ，４２ｂ，４１ｄの底部ｂに比べて基端側３０Ａ，４０Ａの剛性が高くなるため、基端側３０Ａ，４０Ａが変形する事態をより確実に防止することができる。さらに、折り取り溝３１ｂ，３２ａ，４２ｂ，４１ｄの底部ｂに所望の幅を確保することができるため、例えばカッターを挿入して額縁３０，４０に切り込みを加えることができ、折り取りの際の作業をより容易に行うことができるようになる。加えて、折り取り溝３１ｂ，３２ａ，４２ｂ，４１ｄが角部を有することなく構成されているため、押し出し成形する際の成形性の点で有利となり、製造上の問題を招来するおそれもない。
【００２５】
なお、上述した実施の形態では、折り取り溝３１ｂ，３２ａ，４２ｂ，４１ｄの底部ｂが仮想の切断面ＣＰに対して左右対称に形成されているものを例示しているが、本発明はこれに限定されず、例えば、底部ｂにおいても基端側３０Ａ，４０Ａの幅が先端部側の幅より小さく構成してあっても良いし、底部ｂが先端部側にのみ空所となるように構成することも可能である。また、折り取り溝３１ｂ，３２ａ，４２ｂ，４１ｄの底部ｂが曲面ｃによって形成され、かつ折り取り溝３１ｂ，３２ａ，４２ｂ，４１ｄの開口縁部に曲面ｄ，ｅが形成してあるが、本発明はこれに限定されず、Ｖ字状の底部ｂとなるように折り取り溝を形成しても良いし、基板部の表面との間が突条の角部となるように折り取り溝を形成しても良い。
【００２６】
さらに、上述した実施の形態では、改装用ドアの枠体１０に設けられる額縁３０，４０を例示しているが、必ずしもドアである必要はなく、その他の建具にも適用することが可能である。この場合の建具は、改装用である必要もない。さらに、アルミニウム合金によって成形した額縁３０，４０を例示しているが、アルミニウム合金以外の金属や樹脂によって額縁を成形しても構わない。
【００２７】
以上のように、本発明に係る額縁は、基端側の縁部に設けられた取付部を介して支持される板状の基板部を備え、前記基板部には仮想の切断面に沿って延在し、かつ前記基板部の表面に開口する折り取り用の溝が設けられている額縁であって、前記溝は、最深部が前記仮想の切断面上に位置し、かつ前記基端側に対して先端側が大きくなるように前記基板部の表面に開口していることを特徴としている。
【００２８】
この発明によれば、仮想の切断面を基準として開口の位置が非対称となり、先端側の剛性が基端側に比べて小さくなる。これにより、折り取りの際に大きな操作力が必要とならず、しかも基端側に変形の影響が及ぶおそれもなくなる。
【００２９】
また本発明は、上述した額縁において、前記溝の底部は、前記仮想の切断面に対して左右対称に形成されていることを特徴としている。
【００３０】
この発明によれば、溝の内部に所望の幅を確保することができるため、例えばカッターを挿入して切り込みを加えることができ、折り取りの際の作業をより容易に行うことができるようになる。
【００３１】
また本発明は、上述した額縁において、前記溝の底部及び前記溝の開口縁部がそれぞれ曲面によって形成されていることを特徴とする。
【００３２】
この発明によれば、角部を設けることなく折り取り用の溝を構成することができるため、押し出し成形する際の成形性の点で有利となる。
【００３３】
また本発明は、上述した額縁において、前記溝において基端側の開口縁部に設けられた曲面は、前記溝の底部に設けられた曲面よりも曲率半径が小さく構成されていることを特徴とする。
【００３４】
この発明によれば、溝の底部に比べて基端側の剛性が高くなるため、基端側が変形する事態をより確実に防止することができる。
【符号の説明】
【００３５】
３０，４０  額縁、３０Ａ，４０Ａ  基端側、３０Ｂ，４０Ｂ  先端側、３１  カバー取付部、３１ａ  取付基板部、３１ｂ，３２ａ，４２ｂ，４１ｄ  折り取り溝、３２  カバー基板部、４１ａ  枠取付部、４１ｃ  見付け基板部、４２ａ  見込み基板部、４３  係合取付部、ＣＰ  仮想の切断面、ａ  最深部、ｂ  底部、ｃ，ｄ，ｅ  曲面、ｒ１，ｒ２，ｒ３  曲率半径
【図１】
2020128652.tif 000003
【図２】
2020128652.tif 000004
【図３】
2020128652.tif 000005
【図４】
2020128652.tif 000006
【図５】
2020128652.tif 000007